(57)【要約】  本発明は、例えばカラー効果や髪のボリューム効果のような特別な美観効果を得るための、迅速に装着可能なヘアピース（１）であって、使用者に対して著しく高い装用時の快適さをもたらすものに関する。このヘアピース（１）は、幾らかの毛髪（２０）からなる、少なくとも一つの、薄く、広く且つ平坦なヘアピース（３）を備えている。ヘアバンドル（３，３′，３″）には、その自由端に、毛髪又は他の適切な材料（例えば綿や合成材料）から作られた規則的な編込用要素（１１）を含む、軽く且つ薄い、延伸された編込用バンド（２，２′，２″）が設けられている。この編込用バンドは、規則的な相互距離を保って設けられた連結用開口（４，４′，４″，３１）により特徴付けられている。適切な数の基礎頭髪（９，９′，９″）が前述した連結用開口（４，４′，４″，３１）に通される。その結果、ヘアピース（１）が常に再使用可能であるような態様で、ヘアピース（１）と基礎頭髪（６）との間に、一時的に使用され、耐久性があるが、最終的には容易に取り外し可能であるような連結が形成される。また、本発明は、ヘアピース（１）を取り付ける方法にも関する。
2007510825.tif 000002
【特許請求の範囲】
【請求項１】
基礎頭髪に連結されるヘアピースであって、
平行に方向付けられた幾らかの毛髪（２０）からなる、少なくとも一つの、薄く、広く且つ平坦なヘアバンドル（３，３′，３″）と、
各ヘアバンドル（３，３′，３″）の外方端に連結された、軽く且つ薄い、延伸された編込用バンド（２，２′，２″）であって、毛髪、又は綿や合成材料のような他の適切な材料から作られた幾らかの編込用要素（１１）が設けられ、ヘアバンドルの毛髪（２０）のそれぞれが編込用バンド（２，２′，２″）の編込用要素（１１）に対して個別に又は一群（２１）として連結されている編込用バンド（２，２′，２″）と、
連結用開口（４，３１）と、
一つ又は複数のヘアバンドル（３，３′，３″）の一つ又は複数の編込用バンド（２，２′，２″）の間にて規則的な相互距離を保って設けられた連結要素（１２）とを備えたヘアピース。
【請求項２】
連結用開口（４，３１）が編込用要素（１１）の間に設けられていることを特徴とする、請求項１に記載のヘアピース。
【請求項３】
連結用開口（４，３１）が、編込用バンドのループ又は互いに結合された編込用要素（１１）により形成されていることを特徴とする、請求項２に記載のヘアピース。
【請求項４】
連結用開口（４，３１）が、連結された編込用バンド（２，２′，２″）の間にある自由空間により形成されていることを特徴とする、請求項１に記載のヘアピース。
【請求項５】
ヘアピース（１）には、二つのヘアバンドル（３′，３″）に連結された一つの編込用バンド（２）が設けられ、編込用バンド（２）が基本的に閉じたループとして形作られていることを特徴とする、請求項１から請求項４までのいずれか一項に記載のヘアピース。
【請求項６】
一つの編込用バンド（２）の先端（３０）が相互に連結され、これにより閉じたループが形成されていることを特徴とする、請求項５に記載のヘアピース。
【請求項７】
一つの編込用バンド（２）の先端（３０）が、互いに重なり合うことなく互いに隣接して位置付けられていることを特徴とする、請求項６に記載のヘアピース。
【請求項８】
一つの編込用バンド（２）の先端（３０）が、編込用バンドの両端に亘って横方向に延びるステッチシーム（３６）により相互に連結されていることを特徴とする、請求項６又は請求項７に記載のヘアピース。
【請求項９】
ヘアピース（１）が二つのヘアバンドル（３′，３″）を備え、第１のヘアバンドル（３′）が第１の編込用バンド（２′）に連結され、第２のヘアバンドル（３″）が第２の編込用バンド（２″）に連結されていることを特徴とする、請求項１から請求項４までのいずれか一項に記載のヘアピース。
【請求項１０】
ヘアピース（１）が、それぞれにヘアバンドルが設けられた、閉じたループとして形作られている幾つかの小さな編込用バンド（３３′，３３″，３３′″，３３″″）により構成され、小さな編込用バンド（３３′，３３″，３３′″，３３″″）が相互に連結（相互に横方向に連結）されていることを特徴とする、請求項１から請求項４までのいずれか一項に記載のヘアピース。
【請求項１１】
ヘアバンドル（３，３′，３″）の編込用バンド（２，２′，２″）が、それらの上方側、すなわちヘアバンドル（３，３′，３″）の反対側にて、規則的な距離を保って横方向に設けられた連結要素（１２）により相互に連結されていることを特徴とする、請求項１から請求項１０までのいずれか一項に記載のヘアピース。
【請求項１２】
編込用バンドの上方側が互いに横方向に隣接するように位置付けられていることを特徴とする、請求項１１に記載のヘアピース。
【請求項１３】
二つの連結要素が互いに関して短い距離を保って繰り返し設けられていることを特徴とする、請求項１から請求項１２までのいずれか一項に記載のヘアピース。
【請求項１４】
ヘアバンドル（３，３′，３″）が、毛髪がほとんど又は全くない離間空間（２２）が設けられた小さな毛髪群（２１，３４）からなっていることを特徴とする、請求項１から請求項１３までのいずれか一項に記載のヘアピース。
【請求項１５】
毛髪群（２１）が約２〜４ｍｍの横方向寸法（ａ）を持ち、離間空間（２２）が約０．５〜３ｍｍの横方向寸法（ｂ）を持つことを特徴とする、請求項１４に記載のヘアピース。
【請求項１６】
ヘアピース（１）の横方向の両側には、毛髪又は毛髪のボリュームがほとんどない一つ又は複数の毛髪群（３４）が設けられていることを特徴とする、請求項１から請求項１５までのいずれか一項に記載のヘアピース。
【請求項１７】
ヘアバンドル（３，３′，３″）にはそれぞれ、異なった長さ及び／又は色又は色合いの毛髪が設けられていることを特徴とする、請求項１から請求項１６までのいずれか一項に記載のヘアピース。
【請求項１８】
ヘアバンドル（３）の毛髪（２０）間の長さの差が約２〜１２ｃｍの間で変化することを特徴とする、請求項１７に記載のヘアピース。
【請求項１９】
当業者により応用される、請求項１から請求項１７までのいずれか一項に記載のヘアピースの均等物を備えたヘアピース。
【請求項２０】
請求項１から請求項１９までのいずれか一項に記載のヘアピース（１）を基礎頭髪（６）に取り付ける方法であって、以下のステップ、すなわち、
ａ）  編込用バンド（２，２′，２″）に連結されたヘアバンドル（３，３′，３″）の自由端（２３′，２３″）が互いに反対の方向に延びるように、ヘアピース（１）を主に平坦な平面内で広げるステップと、
ｂ）  ヘアバンドル（３，３′，３″）の相互に連結された編込用バンド（２，２′，２″）を基礎頭髪（６）の近傍に位置付け、ヘアバンドル（３，３′，３″）が反対方向に延びるように保つステップと、
ｃ）  少なくとも一度だけ、幾らかの基礎頭髪（毛髪群）（９，９′，９″）をヘアピース（１）の連結用開口（４，３１）に通すステップと、
ｅ）  通過済みの基礎頭髪群（９，９′，９″）を、それ自体知られた方法を用いた他の手段により、編込用バンド（２，２′，２″）又は他の基礎頭髪群（９，９′，９″）に連結するステップと、
ｆ）  ステップｃ）からｅ）までを、ヘアピース（１）が基礎頭髪（６）に十分に固定的に連結されるまで、編込用バンド（２，２′，２″）の長さ方向に沿って、編込用バンド内及び編込用バンドの間に位置する他の連結用開口（４，３１）に関して繰り返すステップとを備えた方法。
【請求項２１】
請求項２０に記載の、ヘアピースを取り付ける方法において、
一緒にまとめられた基礎頭髪群（９，９′，９″）を互いに連結するための、それ自体知られた方法が、以下のステップ、すなわち、
付着部材を、一緒にまとめられた基礎頭髪群（９，９′，９″）上に位置付けるステップであって、前記付着部材は、その断面が直線状及び／又は分岐したＣ、Ｉ、Ｌ又はＵ字状の外形のような形状をなし、且つ、内側又は外側リブが適宜設けられている、ステップと、
前記付着部材を、適切な手段を適宜用いた、圧縮又は収縮のようなそれ自体知られた方法を適用することにより、又は熱を適用することにより、一緒にまとめられた基礎頭髪群（９，９′，９″）に固定的に連結するステップとを備えたことを特徴とする方法。
【請求項２２】
請求項２０に記載の、ヘアピース（１）を基礎頭髪（６）に取り付ける方法において、
前記付着部材を基礎頭髪上に、例えばアルミホイルから作られた薄いシート状のハルにより、編込用バンドから例えば２〜３ｃｍのような適切な距離のところで取り付けることを特徴とする方法。
【発明の詳細な説明】
【技術分野】
【０００１】
本発明は、例えばカラー効果や髪のボリューム効果のような特別な美観効果を得るための、迅速に装着可能なヘアピースに関する。このヘアピースは、平行に方向付けられた毛髪からなる、少なくとも一つの、薄く、広く且つ平坦なヘアピースと、毛髪又は他の適切な材料（例えば綿や合成材料等）から作られた規則的な編込用要素を含む、軽く且つ薄い、延伸された編込用バンドとを備えており、ヘアピースが基礎頭髪に完全に一体化されるとともに、容易に取り外すことが可能で、且つ、使用者に対して著しく高い装用時の快適さをもたらすものである。また、本発明は、迅速に装着可能なヘアピースを取り付ける方法にも関する。
【背景技術】
【０００２】
現代的なヘアファッション及びヘアコスメで使用されるヘアピースは、ヘアエクステンションやヘアシェーピングの用途以外にも、例えばカラー効果や髪のボリューム効果等の特別な美観効果を得るために取り付けられている。人工毛髪又は天然毛髪から通常作られるヘアピースは、多くの異なった要求を満たさなければならない。これらのヘアピースは、容易に装着することが可能でなければならず、また、容易に取り外すことも可能でなければならず、さらに、使用者に対して高い装用時の快適さをもたらすものでなければならない。また、ヘアピースは、形態保持性や耐久性、耐候性があり、また、シャンプー等に耐えられるものでなければならない。現代的なヘアピースを、比較的薄く、広く且つ平坦なヘアバンドルとして形成することが知られている。このヘアバンドルには、第１の自由端（毛髪の上部）の位置にて既知の編込用バンドが横方向に設けられている。このような編込用バンドが設けられるのは、第１に、毛髪同士を相互に連結するためであり、第２に、基礎頭髪との連結のための表面をもたらすためである。さらに、編込用バンドは、天然又は人工の毛髪から作られていてもよいし、ストリップ又はシート状に形成された柔軟なプラスチックストリップから作られていてもよい。このような編込用バンド付きのヘアピースは、基礎頭髪すなわち人の天然毛髪に容易に着脱可能なものであり、ウェフトとも呼ばれる。このようなヘアピースは、幾らかの基礎頭髪すなわち毛髪群を編込用バンドの開口に通した上で、これらの毛髪群同士を相互に連結することにより、基礎頭髪に取り付けられる。これらの開口は、ヘアバンドルの毛髪に連結された編込用要素の間に設けられている。
【０００３】
この種の編込用バンド付きのヘアピースの欠点は、ヘアピースの毛髪と基礎頭髪とが混ざり合うことが困難であるため、相互に連結された基礎頭髪群が目立ってしまい、その結果、ヘアピースが使用されていることが他の人に容易に気付かれてしまう、ということにある。編込用バンド及び相互に連結された基礎頭髪群を隠すことは可能であるが、非常に手間がかかり、このため費用もかかる。
【発明の開示】
【発明が解決しようとする課題】
【０００４】
本発明の目的は、基礎頭髪に対して容易に、確実に且つ迅速に連結することが可能なヘアピースであって、編込用バンド及び基礎頭髪群がほとんど目立たないヘアピースを提供することにある。
【課題を解決するための手段】
【０００５】
本発明によれば、基礎頭髪に連結されるヘアピースは、以下の要素、すなわち、
平行に方向付けられた幾らかの毛髪からなる、少なくとも一つの、薄く、広く且つ平坦なヘアバンドル、
各ヘアバンドルの外方端に連結された、軽く且つ薄い、延伸された編込用バンドであって、毛髪、又は綿や合成材料のような他の適切な材料から作られた幾らかの編込用要素が設けられ、ヘアバンドルの毛髪のそれぞれが編込用バンドの編込用要素に対して個別に又は一群として連結されている編込用バンド、
連結用開口、
一つ又は複数のヘアバンドルの一つ又は複数の編込用バンドの間にて規則的な相互距離を保って設けられた連結要素、
を備えている。
【０００６】
このようなヘアピースは基礎頭髪に容易に連結され、これにより、編込用バンド及びそれらの間に連結された基礎頭髪群が使用時に見られないように隠される。これは、それらが両方のヘアバンドルの間に位置付けられるからである。さらに、基礎頭髪との間で一度だけ連結がなされるだけで、二つのヘアバンドルが基礎頭髪に取り付けられる。適切な数の基礎頭髪が前述した連結用開口に通され、次いで、付着又は接着手段を用いた適切な方法（ブレーディング（braiding）やノッティング（knotting）、ローリング（rolling）等でもよい）により相互に連結される。その結果、ヘアピースが再使用可能であると同時に、使用者に対して著しく高い装用時の快適さを与えるような態様で、ヘアピースと基礎頭髪との間に、一時的に使用され、耐久性があるが、最終的には容易に取り外し可能であるような連結が形成される。
【０００７】
特に、連結用開口は、編込用要素の間に設けられているとよく、好ましくは、連結用開口は、編込用バンドのループ又は互いに結合された編込用要素により形成されているとよい。有利には、編込用バンド内に連結用開口が設けられた一つのヘアバンドルからなる良く知られたヘアピースに、第２のヘアバンドルを追加することにより、二つのヘアバンドルを備えた新たなヘアバンドルが得られるが、このような新たなヘアバンドルは、経済的で、且つ、基礎頭髪に容易に取り付けることが可能である。
【０００８】
特別な実施形態において、連結用開口は、連結された編込用バンドの間にある自由空間により形成されている。ここでは、相互に連結された編込用バンドの間に連結要素が形成されることで、編込用バンドへの連結要素の組み込みが不必要となるので、当該実施形態を経済的に且つ容易に製造することができる。
【０００９】
特に、ヘアピースには、二つのヘアバンドルに連結された一つの編込用バンドが設けられ、編込用バンドが基本的に閉じたループとして形作られているとよい。好ましくは、一つの編込用バンドの先端が相互に連結され、これにより閉じたループが形成されているとよい。唯一つの編込用バンドの先端を連結して当該バンドに閉じたループの形状を与えることにより、ヘアピースをより容易に且つ経済的に製造することができる。
【００１０】
特に、一つの編込用バンドの先端は、互いに重なり合うことなく互いに隣接して位置付けられているとよい。好ましくは、一つの編込用バンドの先端は、編込用バンドの両端に亘って横方向に延びるステッチシームにより相互に連結されているとよい。これらの手段により、編込用バンドが厚くなることで装用時の快適さが減じられるということがなく、また、先端が解れたり裂けたり擦り切れたりすることも避けられる。
【００１１】
特定の実施形態においては、ヘアピースが二つのヘアバンドルを備え、第１のヘアバンドルが第１の編込用バンドに連結され、第２のヘアバンドルが第２の編込用バンドに連結される。同等の方法において、本発明に係るヘアピースは、二つの独立したヘアバンドルを連結要素により連結することにより得られる。
【００１２】
本発明の他の実施形態において、ヘアピースは、それぞれにヘアバンドルが設けられた、閉じたループとして形作られている幾つかの小さな編込用バンドにより構成され、小さな編込用バンドは相互に連結（相互に横方向に連結）されている。
【００１３】
特に、ヘアバンドルの編込用バンドは、それらの上方側、すなわちヘアバンドルの反対側にて、規則的な距離を保って横方向に設けられた連結要素により相互に連結されている。好ましくは、編込用バンドの上方側が互いに横方向に隣接するように位置付けられているとよい。編込用バンドの上方側のみを連結することにより、ヘアバンドルは、基礎頭髪への連結のために容易に広げられ、次いで容易に折り畳まれることとなる。互いに隣接して近接した状態で上側を位置付けることにより、編込用バンドの間に固定されるのに、短く且つ簡素な連結要素のみが必要とされる。
【００１４】
特別な実施形態においては、二つの連結要素が互いに関して短い距離を保って繰り返し設けられている。このことは、両方の隣り合った連結要素の間にて編込用バンドを切断することにより、ヘアピースを縮小化して、擦り切れや裂けのない編込用バンドを備えた二つのヘアピースを得ることができる、という利点を与えるものである。
【００１５】
特に、ヘアバンドルは、毛髪がほとんど又は全くない離間空間が設けられた小さな毛髪群からなっているとよい。好ましくは、毛髪群は、約２〜４ｍｍの横方向寸法（ａ）を持ち、離間空間（２２）は約０．５〜３ｍｍの横方向寸法（ｂ）を持つとよい。これにより、基礎頭髪及びヘアピースの毛髪はより良く混ざり合い、その結果として、ヘアピースが髪型の中で容易に見つけられないという、より自然な効果を得ることができる。
【００１６】
ある特定の実施形態においては、ヘアピースの横方向の両側に、毛髪又は毛髪のボリュームがほとんどない一つ又は複数の毛髪群が設けられている。基礎頭髪内にてヘアピースに起因した毛髪の局所的な集中が避けられるので、装用時の快適さが増し、また特に、閉じたループの実施形態の可視性が減じられる。
【００１７】
特別な実施形態において、ヘアバンドルにはそれぞれ、異なった長さ及び／又は色又は色合いの毛髪が設けられている。好ましくは、ヘアバンドルの毛髪間の長さの差は約２〜１２ｃｍの間で変化するとよい。これらの手段により、特に、異なった長さのヘアバンドルを互いに接するように装着することにより、ヘアピースの基礎頭髪への自然な一体化がもたらされる。
【００１８】
本発明はまた、ヘアピースを基礎頭髪に取り付ける方法であって、以下のステップ、すなわち、
ａ）  編込用バンドに連結されたヘアバンドルの自由端が互いに反対の方向に延びるように、ヘアピースを主に平坦な平面内で広げるステップと、
ｂ）  ヘアバンドルの相互に連結された編込用バンドを基礎頭髪の近傍に位置付け、ヘアバンドルが反対方向に延びるように保つステップと、
ｃ）  少なくとも一度だけ、幾らかの基礎頭髪（毛髪群）をヘアピースの連結用開口に通すステップと、
ｅ）  通過済みの基礎頭髪群を、それ自体知られた方法を用いた他の手段により、編込用バンド又は他の基礎頭髪群に連結するステップと、
ｆ）  ステップｃ）からｅ）までを、ヘアピースが基礎頭髪に十分に固定的に連結されるまで、編込用バンドの長さ方向に沿って、編込用バンド内及び編込用バンドの間に位置する他の連結用開口に関して繰り返すステップとを備えた方法に関する。
【００１９】
ヘアピースをその広げられた位置で基礎頭髪に連結し、次いでヘアピースを折り畳むことにより、ヘアピースの毛髪と基礎頭髪との間で完全な混ざり合いが得られ、例えば相互に連結された基礎頭髪群のような目立つべきでない部分が、ヘアピースのヘアバンドルの間に隠されることとなる。
【００２０】
一緒にまとめられた基礎頭髪群を互いに連結するための、それ自体知られた方法は、以下のステップ、すなわち、
付着部材を、一緒にまとめられた基礎頭髪群上に位置付けるステップであって、前述した付着部材は、その断面が直線状及び／又は分岐したＣ、Ｉ、Ｌ又はＵ字状の外形のような形状をなし、且つ、内側又は外側リブが適宜設けられている、ステップと、
前述した付着部材を、適切な手段を適宜用いた、圧縮又は収縮のようなそれ自体知られた方法を適用することにより、又は熱を適用することにより、一緒にまとめられた基礎頭髪群に固定的に連結するステップとを備えているとよい。
【００２１】
好ましくは、前述した付着部材は、基礎頭髪上に、例えばアルミホイルから作られた薄いシート状のハルにより、編込用バンドから例えば２〜３ｃｍのような適切な距離のところで取り付けられるとよい。
【００２２】
これにより、ヘアピースは人の頭髪に迅速に取り付けられ、また手早く取り外される。その結果、耐久性があり且つ容易に取り外すことが可能な、ヘアピースと基礎頭髪との連結が、ヘアピースが再使用可能であるような態様で、形成されることとなる。
【００２３】
前述した付着要素の特別な設計及びまたその装置は、本出願人の独国特許出願第１０２１９００号（"Herbruikbaarhaarverlengstuk en inrichting en werkwijze voor het gebruiken ervan（再使用可能なヘアエクステンション及びその使用方法）"）に記載されている。
【発明を実施するための形態】
【００２４】
以下、図面に示す実施形態により本発明を説明する。
【００２５】
図１には、本発明に係るヘアピース１が、ヘアバンドル３が尾のようなヘアエクステンションとして構成されている態様において、どのようにして人の髪型である基礎頭髪６に連結されるかが詳細に示されている。
【００２６】
図２には、平行に方向付けられた幾らかの毛髪２０からなるヘアバンドル３を備えた既知のヘアピース１が示されている。これらの毛髪は、例えば編込用要素１１により編込用バンド２に連結されている。編込用バンド２において、編込用要素１１の間には、規則的な相互距離（例えば２ｃｍ）を保って横方向に、幾らか（一組又は一群（例えば２、３又は４個）でもよい）の、実質的に大きな凹部すなわち連結用開口４が設けられている。開口４は、ヘアバンドル３の毛髪が連結される編込用要素１１の間に形成されているが、編込用要素を互いに結合することにより形成されていてもよい。
【００２７】
さらに、適切な量の基礎頭髪が前述した連結用開口４に通され、付着手段を用いた適切な方法（ブレーディングやノッティング、ローリング等の手段でもよい）により、編込用バンド２の後側で相互に連結されるとよい。その結果、ヘアピースが再使用されると同時に、使用者に対して著しく高い装用時の快適さを与えるような態様で、ヘアピースと基礎頭髪との間に、一時的に使用され、耐久性があるが、最終的には容易に取り外し可能であるような連結が形成される。
【００２８】
図３には、本発明に係る迅速に装着可能なヘアピース１が示されている。このヘアピース１は、二つの広いヘアバンドル（複数のストリップをなす毛髪）３′，３″を備えており、それぞれの上方側に、ヘアバンドルの全ての毛髪の自由上方端を連結して一つのコンパクトなまとまりにするための編込用バンド２′，２″が設けられている。ヘアピース１は、広げられた状態で示されており、第１のヘアバンドル３′が第１の編込用バンド２′に連結され、第２のヘアバンドル３″が第２の編込用バンド２″に連結されている。両方の編込用バンド２′，２″は、連結要素１２（この例では、「ジグザグ」状に施された連結用のひもとして構成されている）により相互に連結されている。開口４′，４″は、連結要素１２と編込用バンド２′，２″の上方側との間で利用可能な自由空間により形成される。二つの基礎頭髪群９′，９″は、二つの隣り合った連結用開口４′，４″に通され、開口４′，４″から適切な距離（例えば２〜３ｃｍ）のところで、クランプ要素のような適切な髪連結手段１３により相互に連結される。また、必要であれば、同様にして、基礎頭髪群９′，９″が、編込用バンド２′，２″の間に形成された別の自由な連結用開口４′，４″に通され、ヘアピース１が基礎頭髪に固定的に且つしっかりと連結されるように、互いに相互に連結されるようにしてもよい。
【００２９】
もし望むのであれば、通過済みの基礎頭髪群９′，９″は、連結のために第２の基礎頭髪群が利用できなければ、例えばヘアピース１の外方端すなわち先端３０のところで、ヘアバンドル３′，３″の編込用バンド２′，２″に連結されてもよい。編込用バンド２″から適切な距離（例えば２〜３ｃｍ）のところで使用される髪連結手段１３としては、付着（接着）手段から製造される付着要素が使用されるとよい。この付着要素は、その断面が、直線状又は分岐したＣ、Ｉ、Ｌ、Ｕ字状の外形のような形状をとるとよく、さらに言えば、基礎頭髪との間の連結のためのより大きな接触表面を得るために内側又は外側リブが設けられているとよい。例えば一組のつめを備えた既知の装置（熱を使用しても使用しなくてもよい）が、前述した付着要素と前述した基礎頭髪との間のコンパクトな連結を得るために使用されてもよい。
【００３０】
図４には、ヘアピース１が基礎頭髪群９′，９″に固定的に連結された後に、編込用バンド２′付きの第１のヘアバンドル３′が、連結要素１２により構成された柔軟な折り畳み領域に亘って後方に折り畳まれ、その結果、相互に連結された基礎頭髪群９′，９″が髪連結手段１３とともにほとんど目立たなくなる様子が示されている。なお、基礎頭髪群９′，９″及び髪連結手段１３が目立たなくなるのは、それらが第１及び第２のヘアバンドル３′，３″の間に隠れるからである。
【００３１】
図５には、完全に折り畳まれたヘアピース１が、それが人の基礎頭髪に装着された様子として示されている。ヘアピース１は、編込用バンド２′，２″の間に構成された連結用開口を通過した、相互に連結された基礎頭髪群９に引っ掛けられている。毛髪群２１が基礎頭髪群９に良く混ざり合っていることが、明瞭に分かるであろう。
【００３２】
図６には、どのようにして基礎頭髪群９がかぎ針１０により連結用開口３１に通されるかが示されている。結果的に、連結要素１２の両側にて、毛髪群がヘアピース１を通過することとなる。この実施形態において、ヘアバンドル３′，３″の編込用バンド２′，２″は、互いに対して隣接した状態で横方向に位置付けられている。これは、連結要素１２が短く、例えばステッチとして実現されているからである。好ましくは、連結要素１２は、ヘアピース１が容易に上方又は下方へ折り畳まれるように、編込用バンドの上方側に設けられる。
【００３３】
図７は、本発明に係るヘアピースの実施形態であって、一つの編込用バンドを一つの閉じたループとして形作ることにより二つのヘアバンドルを形成してなる実施形態を模式的に示している。一つの編込用バンドの外方端すなわち先端３０は、編込用バンド付きのヘアバンドル３′が設けられるとともに、編込用バンド２″付きのヘアバンドル３″（図示せず）が設けられるように、相互に連結されている。好ましくは、先端３０は、互いに接触する程度に隣接しているが、互いに重なり合うようにはなっておらず、その結果、先端が連結される位置で、編込用バンド２′は何ら厚くならず、このため、装用時の快適さが減少したりすることはなく、また、ヘアピース１が目立つこともない。先端３０同士の連結部分には、編込用バンドの両端に亘って延びる追加的なステッチシーム３６により追加的な補強がなされていてもよい。
【００３４】
また、図７は、編込用バンド（部分）２′，２″の間にて構成された連結要素３５′が互いに短い距離で設けられてなる、容易に装着可能なヘアピースの実施形態を示している。一つのステッチシームのような単一の連結要素ではなく、二つの連結要素３５′，３５″が取り付けられており、これにより、ステッチシーム３５′，３５″の間にて編込用バンドを切断することによりヘアピースを縮小化することが可能となる。その結果、ステッチシーム３５′付きの第１のものと、ステッチシーム３５″付きの第２のものという、二つのヘアピース１が得られることとなり、このため、有利にも、切断されたヘアピースの外方端が裂けたり擦り切れたりすることがない。
【００３５】
さらに、図７には、毛髪群２１，３４において、毛髪がほとんど又は全くない離間空間２２が交互に設けられている、ヘアピース１の実施形態が示されている。その結果、基礎頭髪は、ヘアピース１の毛髪と非常に良く混ざり合い、このため、ヘアピースが目立つ度合いが減少している。好ましくは、毛髪群の幅ａは、２〜４ｍｍの値を持ち、離間空間ｂは０．５〜３ｍｍの寸法を持っている。また、図７は、毛髪又は毛髪のボリュームがほとんどない毛髪群３４を示している。これらの群３４は、ヘアピース１の外方端の側方に設けられており、このため、基礎頭髪が局所的に厚くなることがなく、また、基礎頭髪からヘアピースへの移行もほとんど目立たなくなる。
【００３６】
図８は、連結要素１２が、二つのステッチシーム３５′，３５″により、どのようにして両方の編込用バンド（部分）２′，２″の間に取り付けられるかを模式的に示している。ステッチシーム３５′，３５″は、編込用バンド（部分）２′，２″の上方側に設けられ、これにより基礎頭髪への連結のためにヘアピース１が容易に折り畳まれたり広げられたりされるようになっている。さらに、図８は、連結用開口３１が、どのようにして、連結要素１２，３５と編込用バンド（部分）との間に形成されるかを示している。
【００３７】
図９は、二つのヘアバンドル及びそれに連結された編込用バンド２′，２″を備えたヘアピース１であって、編込用バンドが、ヘアバンドルが設けられた小さな編込用バンド３３′，３３″，３３′″，３３″″により構成されている、ヘアピース１を示している。小さな編込用バンドは、それらの先端にて、横方向に相互に連結されている。連結用開口３１は、小さな編込用バンド３３の開口により形成され、その結果、連結用開口を構成するために何らの連結要素を設けることも必要とされない。小さな編込用バンドが相互に連結されるとともに、連結要素もまた設けられる、というような中間的な形態もまた可能である。
【００３８】
図１０は、異なった長さを持つヘアバンドル３′，３″を備えたヘアピース１の実施形態を示している。下側のヘアバンドル３″には、ヘアバンドル３′の毛髪よりも大きな長さを持つ毛髪群２１が設けられている。ヘアバンドル３′の寸法ｃは、例えば２〜４０ｃｍであり、一方、ヘアバンドル３″の寸法ｄは、それらの各毛髪群の間における長さの差が２〜１２ｃｍの値となるように、４〜５０ｃｍの値を持っている。一つのヘアバンドル内で毛髪群の長さを変化させたり、毛髪群の中で毛髪の長さを変化させたりすることもまた可能である。
【００３９】
図１１は、特別にウェーブ又はカールした毛髪を備えたヘアバンドル３′，３″が設けられているヘアピース１の例を示している。また、毛髪、毛髪群２１又はヘアバンドル３′，３″には、異なった色や色合いが付されていてもよい。
【００４０】
前述したような手段により、本発明に係るヘアピースは、実質的により短い時間で基礎頭髪に連結され、その結果、編込用バンドにおける曲げひずみ及び引張ひずみがそれぞれ最小に減じられる。
【００４１】
本発明の範囲内で多くの実施形態が可能であり、当業者にとって知られている全ての技術的な均等物もまた本発明の概念の一部として考慮されることは明らかであろう。
【００４２】
本発明に係る、ヘアピースを基礎頭髪に取り付ける方法は、以下のステップを備えている。  第１に、ヘアバンドルが平坦な平面内にて延びるように、ヘアピース１を完全に広げる。このことは、ヘアバンドル及びそれに連結された編込用バンド２′，２″が互いに反対の方向に延びるように、ヘアバンドルの自由端２３′，２３″を、反対の方向に移動させることにより、実現される。
次いで、図３及び図６に示すように、ヘアバンドルがそれらの反対方向に延びる位置に保たれた状態で、ヘアピースを基礎頭髪の近傍に位置付ける。
続いて、図６に示すように、幾らかの基礎頭髪（毛髪群）９，９′を、例えばかぎ針１０によりヘアピース１の連結用開口４，３１に通す。次いで、第２の基礎頭髪群９″を、その近くの連結用開口４，３１に通す。
そして、図３に示すように、通過済みの基礎頭髪群９′，９″を、例えばクランプ要素１３のような他の手段により連結した後、前述したステップが、ヘアピースが基礎頭髪に十分に固定的に連結されるまで、編込用バンド内及び編込用バンドの間にある他の連結用開口に関して繰り返される。最終的に、ヘアピースは、図４に示すように部分的に折り畳まれ、次いで、図５に示すように完全に折り畳まれる。
【図面の簡単な説明】
【００４３】
【図１】本発明に係るヘアピースが髪型に取り付けられた状態の、人の頭の後部を示す図。
【図２】編込用要素の間に開口が設けられた既知のヘアピースを示す図。
【図３】本発明に係るヘアピースを示す斜視図。
【図４】半分が折り畳まれた状態のヘアピースを示す斜視図。
【図５】完全に折り畳まれた状態のヘアピースを示す斜視図。
【図６】かぎ針によりヘアピースを連結する様子を示す図。
【図７】ヘアピースの閉じたループの実施形態を模式的に示す図。
【図８】図７の実施形態を連結要素とともに模式的に示す図。
【図９】小さな閉じたループが相互に横方向に連結された実施形態を模式的に示す図。
【図１０】異なった長さのヘアバンドルを備えたヘアピースの実施形態を示す正面図。
【図１１】カールした毛髪を備えた実施形態を示す斜視図。
【図１】
2007510825.tif 000003
【図２】
2007510825.tif 000004
【図３】
2007510825.tif 000005
【図４】
2007510825.tif 000006
【図５】
2007510825.tif 000007
【図６】
2007510825.tif 000008
【図７】
2007510825.tif 000009
【図８】
2007510825.tif 000010
【図９】
2007510825.tif 000011
【図１０】
2007510825.tif 000012
【図１１】
2007510825.tif 000013
【国際調査報告】
2007510825.tif 000014
2007510825.tif 000015